【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
コンピュータ実行可能命令をその上に記憶させたコンピュータ可読媒体であって、
前記コンピュータ実行可能命令は、ネットワーク上のドキュメントのランキングをする命令を含み、前記コンピュータ実行可能命令は１つまたは複数のクエリ非依存コンポーネントを含む前記ドキュメントのユーザクエリのために呼び出されたランキング関数を使用し、少なくとも１つのクエリ非依存コンポーネントは、前記ネットワーク上の１つまたは複数のドキュメントに対してサーバが生成し、サーバが記憶する利用データを考慮に入れる利用パラメータを含み、前記利用データはユーザの前記ドキュメントへのネットワークアクセスを提供して管理するネットワーク記憶システムにより生成されて記憶されていて、前記利用データはドキュメントの利用データが前記ネットワーク記憶システムを介して複数のユーザによる前記ドキュメントのクエリ非依存インタラクティブ利用を反映するように前記ネットワーク上の前記１つ又は複数のドキュメントと前記ネットワーク記憶システムを介しての現実のユーザ・インタラクションの測定を含んでいて、前記コンピュータ実行可能命令はまた前記ネットワーク上のドキュメントをランク付けするための前記ランキング関数により生成されたスコアを割り当て、前記スコアはドキュメントを順番にランク付するのに使用され、
前記コンピュータ実行可能命令はさらに、ユーザにより入力された検索ストリングを含む検索クエリを受け入れるための命令を含み、複数のドキュメントを含む検索結果を生成するために前記ネットワーク上のドキュメントの検索を実行し、前記ドキュメントがそれらのそれぞれの利用データとそれらの前記検索ストリングへの関連性に従いランキング付けされるようにランキング付けされた検索結果を生成するために前記ランキング関数を使用して前記検索結果の前記複数のドキュメントをランキングして、ユーザに前記ランキング付けされた検索結果を提供する
ことを特徴とするコンピュータ可読媒体。
【請求項２】
前記利用値は、（ｉ）サーバにより維持される実際の利用データに基づいた実際の利用値、または（ｉｉ）実際の利用データに基づいていないデフォルトの利用値を含むことを特徴とする請求項１に記載のコンピュータ可読媒体。
【請求項３】
前記少なくとも１つのクエリ非依存コンポーネントは、式
【数１】
2009509275.tif 000001
により表され、ただし、
Ｕは実際の利用値またはデフォルトの利用値を表し、また、
ｗｕおよびｋｕは、前記利用値に対する調整パラメータを表すことを特徴とする請求項１に記載のコンピュータ可読媒体。
【請求項４】
前記少なくとも１つのクエリ非依存コンポーネントは、（ｉ）前記利用パラメータと、（ｉｉ）クリック距離もしくはバイアスされたクリック距離パラメータとを共に含むことを特徴とする請求項１に記載のコンピュータ可読媒体。
【請求項５】
前記少なくとも１つのクエリ非依存コンポーネントは、前記利用パラメータとＵＲＬ深さパラメータを共に含むことを特徴とする請求項１に記載のコンピュータ可読媒体。
【請求項６】
各ドキュメントに対する前記スコアは、式
【数２】
2009509275.tif 000002
を用いて生成され、ただし、
ｗｔｆ’は重み付けされたターム頻度を表し、
Ｎは前記ネットワーク上のドキュメントの数を表し、
ｎはクエリタームを含むドキュメントの数を表し、
ｗｃｄはクエリ非依存コンポーネントの重みを表し、
ｂｃｄはクリック距離の重みを表し、
ｂｕｄはＵＲＬ深さの重みを表し、
ＣＤはドキュメントに対して計算されたクリック距離または割り当てられたバイアスされたクリック距離を表し、
ｋｅｗはエッジ重みに関係する調整定数を表し、
ＵＤはＵＲＬ深さを表し、
Ｕは実際の利用値またはデフォルトの利用値を表し、
ｗｕおよびｋｕは、前記利用値に対する調整パラメータを表し、また
ｋｃｄおよびｋｌは定数であることを特徴とする請求項１に記載のコンピュータ可読媒体。
【請求項７】
前記ランキング関数により生成されたランク付け結果を管理者が手動で調整できるようにするためのコンピュータ実行可能命令をさらに含むことを特徴とする請求項１に記載のコンピュータ可読媒体。
【請求項８】
コンピューティングシステム上で使用可能な少なくとも１つのアプリケーションモジュールを含むコンピューティングシステムであって、前記少なくとも１つのアプリケーションモジュールは、請求項１に記載の前記コンピュータ可読媒体から、その上にロードされたアプリケーションコードを含むことを特徴とするコンピューティングシステム。
【請求項９】
コンピュータ実行可能命令をその上に記憶させたコンピュータ可読媒体であって、
前記コンピュータ実行可能命令は、ネットワーク上のドキュメントのランキングをする命令を含み、前記コンピュータ実行可能命令は１つまたは複数のクエリ非依存コンポーネントを含むランキング関数を使用し、少なくとも１つのクエリ非依存コンポーネントは、前記ネットワーク上の１つまたは複数のドキュメントに対してサーバが生成し、サーバが記憶する利用データを考慮に入れる利用パラメータを含み、前記利用データは前記ネットワーク上の前記１つ又は複数のドキュメントとの現実のユーザ・インタラクションの測定を含んでいて、前記コンピュータ実行可能命令はまた前記ネットワーク上のドキュメントをランク付けするための前記ランキング関数により生成されたスコアを割り当て、前記スコアはドキュメントを順番にランク付するのに使用され、前記利用データはそれぞれのドキュメントの利用値を含み、
そして前記ドキュメントの前記利用値は、前記ドキュメントの、または１組のドキュメントを含むフォルダの１つまたは複数の利用に関連するプロパティに依存しており、前記１つまたは複数の利用に関連するプロパティは、所与の時間期間内におけるユーザによるドキュメントもしくはフォルダの合計閲覧数、所与の時間期間内におけるユーザごとのドキュメントまたはフォルダの平均閲覧数、所与の時間期間内に特定のドキュメントまたはフォルダに対して費やされた合計時間、所与の時間期間内に特定のドキュメントまたはフォルダに対して費やされた平均時間を含み、前記所与の時間期間は、先週、先月、前年、前記ドキュメントもしくはフォルダの生存期間、または他の任意の時間期間を含むことを特徴とするコンピュータ可読媒体。
【請求項１０】
前記１つまたは複数の利用に関連するプロパティは、所与の時間期間内におけるユーザによるドキュメントもしくはフォルダの合計閲覧数であることを特徴とする請求項９に記載のコンピュータ可読媒体。
【請求項１１】
前記１つまたは複数の利用に関連するプロパティは、所与の時間期間内におけるユーザごとのドキュメントまたはフォルダの平均閲覧数であることを特徴とする請求項９に記載のコンピュータ可読媒体。
【請求項１２】
前記１つまたは複数の利用に関連するプロパティは、所与の時間期間内に特定のドキュメントまたはフォルダに対して費やされた合計時間であることを特徴とする請求項９に記載のコンピュータ可読媒体。
【請求項１３】
前記１つまたは複数の利用に関連するプロパティは、所与の時間期間内に特定のドキュメントまたはフォルダに対して費やされた平均時間であることを特徴とする請求項９に記載のコンピュータ可読媒体。
【請求項１４】
ネットワーク上のドキュメントのランキングをするコンピュータ実施方法であって、
１つまたは複数のクエリ非依存コンポーネントを含む前記ドキュメントのユーザクエリのために呼び出されたランキング関数を提供するステップと、少なくとも１つのクエリ非依存コンポーネントは、前記ネットワーク上の１つまたは複数のドキュメントに対してサーバが生成し、サーバが記憶する利用データを考慮に入れる利用パラメータを含み、前記利用データは前記ネットワーク上の前記１つ又は複数のドキュメントとの現実のユーザ・インタラクションの測定を含み、
前記ネットワーク上のドキュメントをランク付けするための前記ランキング関数により生成されたスコアを割り当てるステップとを含み、前記スコアはドキュメントを順番にランク付するのに使用され、前記利用データはそれぞれのドキュメントの利用値を含み、
そして前記ドキュメントの前記利用値は、前記ドキュメントの、または１組のドキュメントを含むフォルダの１つまたは複数の利用に関連するプロパティに依存しており、前記１つまたは複数の利用に関連するプロパティは、所与の時間期間内におけるユーザによるドキュメントもしくはフォルダの合計閲覧数、所与の時間期間内におけるユーザごとのドキュメントまたはフォルダの平均閲覧数、所与の時間期間内に特定のドキュメントまたはフォルダに対して費やされた合計時間、所与の時間期間内に特定のドキュメントまたはフォルダに対して費やされた平均時間を含み、前記所与の時間期間は、先週、先月、前年、前記ドキュメントもしくはフォルダの生存期間、または他の任意の時間期間を含むことを特徴とする方法。